(57)【要約】 【課題】  より高い広告効果を発揮させる。【解決手段】  端末装置は、周囲に存在する人数を検出する検出手段と、前記検出手段により検出された人数に基づいて景品情報の内容を決定する制御手段とを備えている。検出手段が検出した周囲の人数に基づいて制御手段が景品情報の内容を決定しているので、周囲の混雑度に応じて景品情報を異ならせることができ、より高い広告効果を発揮することが可能となる。【選択図】図５
2014203222.tif 000002
【特許請求の範囲】
【請求項１】
周囲に存在する人数を検出する検出手段と、
前記検出手段により検出された人数に基づいて景品情報の内容を決定する制御手段とを備える端末装置。
【請求項２】
携帯端末と近距離通信を行うための近距離通信手段を備え、
前記制御手段は、決定した前記景品情報を前記近距離通信手段から前記携帯端末に出力させる請求項１記載の端末装置。
【請求項３】
端末装置と、
前記端末装置とネットワークを介して接続されたサーバとを備える景品提供システムであって、
前記端末装置は、
周囲に存在する人数を検出する検出手段と、
前記サーバと通信を行うための通信手段とを備え、
前記サーバは、
前記検出手段が検出した人数が前記通信手段から入力されると、当該人数に基づいて景品情報の内容を決定し、当該決定した前記景品情報を前記端末装置に出力する景品提供システム。
【請求項４】
前記端末装置は、
携帯端末と近距離通信を行うための近距離通信手段を備え、
前記決定した前記景品情報を前記近距離通信手段から前記携帯端末に出力させる請求項３記載の景品提供システム。
【請求項５】
端末装置のコンピュータを
周囲に存在する人数を検出する検出手段、
前記検出手段により検出された人数に基づいて景品情報の内容を決定する制御手段、
として機能させるためのプログラム。
【発明の詳細な説明】
【技術分野】
【０００１】
本発明は、クーポン券などの景品を発行可能な端末装置、景品提供システム及びプログラムに関する。
【背景技術】
【０００２】
従来、例えばデジタルサイネージ装置などの端末装置においては、広告画像の内容を容易に変更することができるため、最新の情報を常に閲覧者に提供できる点で優れた広告効果を発揮する（例えば特許文献１参照）。
近年では、ユーザが所有する携帯端末と端末装置とを通信させることにより、表示中の広告内容に関連した景品（例えばクーポン券など）を端末装置から携帯端末へと転送する技術も開発されている。
【先行技術文献】
【特許文献】
【０００３】
【特許文献１】特開２０１２−１２８２１０号公報
【発明の概要】
【発明が解決しようとする課題】
【０００４】
ところで、景品発行型の端末装置であっても広告効果をより高めることが望まれている。
本発明の課題は、より高い広告効果を発揮させることである。
【課題を解決するための手段】
【０００５】
請求項１に記載の発明の端末装置は、周囲に存在する人数を検出する検出手段と、前記検出手段により検出された人数に基づいて景品情報の内容を決定する制御手段とを備える。
【０００６】
請求項３に記載の発明の景品提供システムは、端末装置と、前記端末装置とネットワークを介して接続されたサーバとを備える景品提供システムであって、前記端末装置は、周囲に存在する人数を検出する検出手段と、前記サーバと通信を行うための通信手段とを備え、前記サーバは、前記検出手段が検出した人数が前記通信手段から入力されると、当該人数に基づいて景品情報の内容を決定し、当該決定した前記景品情報を前記端末装置に出力する。
【０００７】
請求項５に記載の発明のプログラムは、端末装置のコンピュータを、周囲に存在する人数を検出する検出手段、前記検出手段により検出された人数に基づいて景品情報の内容を決定する制御手段、として機能させるためのプログラムである。
【発明の効果】
【０００８】
本発明によれば、より高い広告効果を発揮することができる。
【図面の簡単な説明】
【０００９】
【図１】本実施形態に係る景品提供システムの概略構成を示すブロック図である。
【図２】本実施形態に係るデジタルサイネージ装置の主制御構成を示すブロック図である。
【図３】本実施形態に係るスクリーン部の概略構成を示す正面図である。
【図４】本実施形態に係る景品情報における当選確率の一例を示す表である。
【図５】本実施形態に係る携帯端末の主制御構成を示すブロック図である。
【図６】本実施形態に係るデジタルサイネージ装置で実行されるくじ引き処理の流れを示すフローチャートである。
【発明を実施するための形態】
【００１０】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１１】
図１は本実施形態に係る景品提供システムの概略構成を示すブロック図である。景品提供システム１には、本発明に係る端末装置としてのデジタルサイネージ装置２と、ネットワークＮを介してデジタルサイネージ装置２に通信自在なサーバ３と、例えばＮＦＣなどの近距離無線通信技術によってデジタルサイネージ装置２に通信自在な携帯端末４とが備えられている。
【００１２】
図２はデジタルサイネージ装置２の主制御構成を示すブロック図である。デジタルサイネージ装置２は、人物画像の映像光を照射する投影部２１と、投影部２１から照射された映像光を背面で受けて前面に投影する人型のスクリーン部２２とを備えている。
【００１３】
投影部２１は、画像や音声からなるコンテンツデータに基づいて各部を制御する本発明に係る制御手段としての制御部２３と、制御部２３に接続され、当該制御部２３から出力された映像データを映像光に変換してスクリーン部２２に向けて照射するプロジェクタ２４と、各コンテンツデータやプログラムを記憶する記憶部２５と、ネットワークＮを介してサーバ３と通信する本発明に係る通信手段としての通信部２６とを備えている。
【００１４】
次に、スクリーン部２２について説明する。
図３は、スクリーン部２２の概略構成を示す正面図である。図３に示すようにスクリーン部２２には、人物の上半身が表示される表示部２７と、表示部２７を支持する台座２８とが備えられている。
表示部２７の外形は人物の上半身を模した形状に形成されている。表示部２７は、映像光の照射方向に対して略直交する例えばアクリル板などの一枚の透光板２９により形成されている。透光板２９の背面には背面投影用のフィルムスクリーンが積層され、なおかつフィルムスクリーンの背面にはフィルム状のフレネルレンズが積層されている。そして、表示部２７における人物の目に対応する部分には、例えばカメラなどの撮像部３０が設けられている。この撮像部３０が表示部２７に対向する空間の映像をリアルタイムに撮像している。
台座２８には、携帯端末４と近距離通信し携帯端末４に対して情報を読み書きするためのリーダライター部（近距離通信手段）３１と、ボタン式の操作部３２と、スピーカなどの音声出力部３３と、マイクなどの音声入力部３４とが設けられている。
リーダライター部３１、操作部３２、音声出力部３３、音声入力部３４及び撮像部３０は、図２に示すように制御部２３に接続されている。
【００１５】
記憶部２５には、各コンテンツデータ以外にも景品情報が記憶されている。景品情報とは、デジタルサイネージ装置２と携帯端末４とが通信をする際に実行されるくじ引きに関する情報であり、くじ引きの当選確率や、当選時に提供される景品の内容等を含んでいる。
【００１６】
この景品情報は、表示部２７の周囲に存在する人数に基づいてその内容が決定されるようになっている。
図４は、景品情報における当選確率の一例を示す表である。この例では、表示部２７の周囲に存在する人数が１人のときには当選確率が１５％、２人のときには当選確率が１０％、３人のときには当選確率が８％、４人のときには当選確率が６％、５人以上のときには当選確率が５％に設定されている。このように、表示部２７の周囲に存在する人数によって当選確率が変動するようになっている。
【００１７】
なお、表示部２７の周囲に存在する人数の検出については、撮像部３０からリアルタイムに得られた映像に対して制御部２３が周知の顔認識処理を施すことにより、その周囲に存在する人数を検出するようになっている。つまり、本実施形態では撮像部３０及び制御部２３が本発明に係る検出手段である。なお、顔認識処理以外にも上半身認識処理によっても人数の検出は可能である。
【００１８】
制御部２３はリーダライター部３１に対して携帯端末４がかざされると、読み取り時においては携帯端末４に記憶されている情報を、リーダライター部３１を介して読み出す。他方、書き込み時においては制御部２３は書き込み情報を、リーダライター部３１を介して携帯端末４に記憶させる。
また、制御部２３は、操作部３２からの操作信号に基づいて、操作内容に関連したコンテンツデータを記憶部２５から読み出し、プロジェクタ２４及び音声出力部３３を制御する。
制御部２３は、撮像部３０から得られた画像や、音声入力部３４から得られた音声を解析し、その解析内容に関連したコンテンツデータを記憶部２５から読み出して、プロジェクタ２４及び音声出力部３３を制御する。
【００１９】
制御部２３は、携帯端末４からの情報や、操作部３２からの操作信号によっては、通信部２６を制御してサーバ３と通信を行う。通信により得られた情報は記憶部２５に格納される。
【００２０】
図５は、携帯端末４の主制御構成を示すブロック図である。
携帯端末４は、例えば携帯電話、スマートフォン、タブレット式端末などの携帯機器である。図５に示すように携帯端末４には、例えば表示部４１と、操作部４２と、通信部４３と、近距離通信部４４と、記憶部４５と、これらを制御する制御部４６とが設けられている。
表示部４１は例えば液晶パネルや有機ＥＬパネルなどから構成されている。
操作部４２は例えばタッチパネルや、操作キーなどである。
通信部４３は３ＧやＬＴＥ、Ｗｉ−Ｆｉなどの規格に応じた通信を行う。
近距離通信部４４は例えばＮＦＣなどの近距離無線通信技術によってデジタルサイネージ装置２のリーダライター部３１と通信を行う。
記憶部４５には、デジタルサイネージ装置２との通信を行うためのアプリケーションが記憶されている。デジタルサイネージ装置２との通信を行うためのアプリケーションとしては、クーポン取得アプリなどが挙げられる。
制御部４６は、近距離通信部４４がデジタルサイネージ装置２のリーダライター部３１に接近すると、クーポン取得アプリを起動し、近距離通信部４４及びリーダライター部３１を介してデジタルサイネージ装置２と情報の送受を実行する。
【００２１】
次に、本実施形態の作用について説明する。
デジタルサイネージ装置２で実行されるくじ引き処理について説明する。図６はくじ引き処理の流れを示すフローチャートである。
デジタルサイネージ装置２の制御部２３は、リーダライター部３１に対して携帯端末４から情報が入力されたり、操作部３２からの操作信号が入力されたりすることでくじ引き処理の実行が指示されると、くじ引き処理を実行する。
【００２２】
ステップＳ１では、制御部２３は、撮像部３０から取得した表示部２７の周囲の映像に対して、周知の顔認識処理を施すことにより周囲に存在する人数を検出する。
ステップＳ２では、制御部２３は、検出した人数に基づいて景品情報の内容を決定する。
【００２３】
ステップＳ３では、制御部２３は乱数を発生させて景品情報内の当選率と比較することでくじ引きを実行する。
ステップＳ４では、制御部２３は、プロジェクタ２４を制御して、くじ引きの結果を表示する。
ステップＳ５では、制御部２３は、くじ引きの結果がハズレの場合はそのまま終了し、当たりの場合はステップＳ６に移行する。
【００２４】
ステップＳ６では、制御部２３は、プロジェクタ２４を制御して、近距離通信要求表示を実行する。
ステップＳ７では、制御部２３は、リーダライター部３１と携帯端末４とが通信可能な状態か否かを判断し、通信可能な状態であればステップＳ８に移行し、通信ができない状態であればステップＳ７に移行して、携帯端末４がリーダライター部３１にかざされるまで待機する。
ステップＳ８では、制御部２３は、ステップＳ２で選択した景品情報からくじ引きの当選結果に対応した景品を取得し、リーダライター部３１を介して携帯端末４に出力する。これにより、景品がユーザに提供される。
【００２５】
以上のように、本実施形態によれば、撮像部３０により得られた映像から制御部２３が検出した周囲の人数に基づいて景品情報の内容を決定しているので、デジタルサイネージ装置２の周囲の混雑度に応じて景品情報を異ならせることができる。例えば、上記実施形態のように、周囲の人数が少ない場合に当選確率を高くし、人数の多い場合に当選確率を低くするようにしておけば、客の少ない時間帯では当選確率が高くなるため集客ＵＰが期待できる。他方、周囲の人数が多い場合に当選確率を高くし、人数の少ない場合に当選確率を低くするようにしておけば、多くの客に当選をアピールすることができる。景品情報の内容は、売り主の要望に応じて変更自在であり、その店舗に最適な景品情報を設定することが可能である。
これらのことから、より高い広告効果を発揮することが可能となる。
【００２６】
また、デジタルサイネージ装置２で決定した景品情報がリーダライター部３１から携帯端末４に出力されているので、紙などの別の媒体に出力しなくとも、ユーザが所有する携帯端末４に直接景品を提供することができる。
【００２７】
なお、本発明は上記実施形態に限らず適宜変更可能である。
例えば上記実施形態では、端末装置として投影式のデジタルサイネージ装置２を例示して説明したが、液晶パネル或いは有機ＥＬパネルを用いたデジタルサイネージ装置を端末装置として適用することも可能である。
【００２８】
また、本実施形態では、デジタルサイネージ装置２との通信を行うため、それ専用のアプリケーションを実行するようになっているが、これ以外にも携帯端末４に搭載されているインターネットブラウザによってネット上のアプリケーションを実行することでデジタルサイネージ装置２との通信を行うことも可能である。
【００２９】
また、本実施形態では、撮像部３０及び制御部２３が本発明に係る検出手段である場合を例示して説明したが、周囲の人数を検出できるのであれば如何なるものも適用可能である。例えば、撮像部３０からの映像を用いなくとも、店舗内にある監視カメラの映像に基づいて、デジタルサイネージ装置２の周囲の人数を検出することも可能である。撮像部３０以外としては、サーモグラフィーカメラや、デプスセンサなどが挙げられる。
また、デジタルサイネージ装置２の周囲の人数を直接的に検出しなくとも、間接的に検出することも可能である。例えば、店舗の入場人員や、駐車台数、現時点での売り上げ情報などから、デジタルサイネージ装置２の周囲の人数を推測し、その推測した人数を検出結果とすることも可能である。また、日付、時間帯、天気などから経験則的に店舗の入場人員を推測し、その推測した人数を検出結果とすることも可能である。
【００３０】
また、上記実施形態では、景品情報の内容として当選確率を変更する場合を例示して説明したが、当選により提供される景品の内容を変更することも可能である。これにより、当選により提供される景品にバリエーションを持たせることができ、興趣性を高めることが可能である。
【００３１】
また、上記実施形態では、くじ引き処理全体をデジタルサイネージ装置２で実行する場合について例示したが、くじ引き処理におけるくじ引き（ステップＳ３）をサーバ３で実行することも可能である。この場合、デジタルサイネージ装置２の制御部２３で検出した人数が通信部２６を介して入力されると、当該人数に基づいてサーバ３が景品情報の内容を決定し、当該決定した景品情報をデジタルサイネージ装置２に出力するようになっている。
【００３２】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００３３】
〔付記〕
＜請求項１＞
周囲に存在する人数を検出する検出手段と、
前記検出手段により検出された人数に基づいて景品情報の内容を決定する制御手段とを備える端末装置。
＜請求項２＞
携帯端末と近距離通信を行うための近距離通信手段を備え、
前記制御手段は、決定した前記景品情報を前記近距離通信手段から前記携帯端末に出力させる請求項１記載の端末装置。
＜請求項３＞
端末装置と、
前記端末装置とネットワークを介して接続されたサーバとを備える景品提供システムであって、
前記端末装置は、
周囲に存在する人数を検出する検出手段と、
前記サーバと通信を行うための通信手段とを備え、
前記サーバは、
前記検出手段が検出した人数が前記通信手段から入力されると、当該人数に基づいて景品情報の内容を決定し、当該決定した前記景品情報を前記端末装置に出力する景品提供システム。
＜請求項４＞
前記端末装置は、
携帯端末と近距離通信を行うための近距離通信手段を備え、
前記決定した前記景品情報を前記近距離通信手段から前記携帯端末に出力させる請求項３記載の景品提供システム。
＜請求項５＞
端末装置のコンピュータを
周囲に存在する人数を検出する検出手段、
前記検出手段により検出された人数に基づいて景品情報の内容を決定する制御手段、
として機能させるためのプログラム。
【符号の説明】
【００３４】
１      景品提供システム
２      デジタルサイネージ装置
３      サーバ
４      携帯端末
２１      投影部
２２      スクリーン部
２３      制御部（制御手段、検出手段）
２４      プロジェクタ
２５      記憶部
２６      通信部（通信手段）
２７      表示部
２８      台座
２９      透光板
３０      撮像部（検出手段）
３１      リーダライター部（近距離通信手段）
３２      操作部
３３      音声出力部
３４      音声入力部
【図１】
2014203222.tif 000003
【図２】
2014203222.tif 000004
【図３】
2014203222.tif 000005
【図４】
2014203222.tif 000006
【図５】
2014203222.tif 000007
【図６】
2014203222.tif 000008